(57)【特許請求の範囲】
【請求項１】
重量検出器から突設された連結部材に品物保持部を支持し、前記連結部材が装置本体部の貫通孔を貫通し、前記連結部材の外周縁部と前記本体部における貫通孔の内周縁部との間をダイアフラムによって防水するようにした計量装置において、
前記ダイアフラムの外周縁部には、前記装置本体部における前記貫通孔に嵌合する外周リングがダイアフラム本体に一体に設けられ、
前記ダイアフラムの内周縁部には、前記連結部材に係合する内周リングがダイアフラム本体に一体に設けられ、
前記外周リングおよび内周リングの双方が前記ダイアフラム本体よりも剛性の大きい材質からなり、かつ前記ダイアフラム本体とは異なる材質で形成されていることを特徴とする計量装置。
【請求項２】
請求項１において、
前記連結部材は分割されており、これら分割された分割部の間で前記ダイアフラムの内周縁部が挟持されている計量装置。
【請求項３】
請求項２において、
前記連結部材のうちの１つの分割部の分割面には、円環状の溝が形成されており、
前記内周リングは前記ダイアフラム本体からこれの軸線方向に向って突出しており、
前記内周リングが前記溝に嵌合していることで、該内周リングが前記連結部材に径方向に係合する計量装置。
【請求項４】
請求項１ないし３のいずれかに記載の計量装置を複数個備えた組合せ計量装置。
【発明の詳細な説明】
【０００１】
【発明の属する技術分野】
本発明は計量装置および組合せ計量装置に関するものである。
【０００２】
【従来の技術およびその欠点】
従来、計量装置のダイアフラムを用いた防水構造としては、ダイアフラムの内周縁部を挟み込む構造が多い。しかし、かかる構造では、計量装置を水洗する場合に、ダイアフラムの縁部が水圧で外れ、本体内に浸水し、故障の原因となる。また、水洗後に水滴を吹き飛ばす際にも、当該エアーの圧力によりダイアフラムの内周縁部が外れる。
【０００３】
一方、実公平３−３６８９５号に開示された防水構造では、ダイアフラムをビス止めしている。しかし、この構造では、ビスが貫通するための多数の孔をダイアフラムに形成する必要があるので、コストアップの要因となる。更に、前記孔の部分はダイアフラムが破れる要因となるので、これが防水性の低下を招く原因となる。
【０００４】
したがって、本発明の目的は、ダイアフラムを用いた計量装置において、ダイアフラムの外れを防止して、防水性を向上させることである。
【０００５】
【課題を解決するための手段】
前記目的を達成するために、本発明の計量装置は、重量検出器から突設された連結部材に品物保持部を支持し、前記連結部材が装置本体部の貫通孔を貫通し、前記連結部材の外周縁部と前記本体部における貫通孔の内周縁部との間をダイアフラムによって防水するようにした計量装置において、前記ダイアフラムの外周縁部には、前記装置本体部における前記貫通孔に嵌合する外周リングがダイアフラム本体に一体に設けられ、前記ダイアフラムの内周縁部には、前記連結部材に係合する内周リングがダイアフラム本体に一体に設けられ、前記外周リングおよび内周リングの双方が前記ダイアフラム本体よりも剛性の大きい材質からなり、かつ前記ダイアフラム本体とは異なる材質で形成されていることを特徴とする。
【０００６】
この発明によれば、ダイアフラム本体が水洗時に水圧や空気圧を受けると、ダイアフラムの外周縁部は剛性の高い外周リングによって装置本体部に対し径方向にずれることなく保持される。一方、ダイアフラムの内周縁部は剛性の高い内周リングを介し連結部材に連結されて外れないよう保持される。
【０００７】
削除。
【０００８】
削除。
【０００９】
【発明の実施の形態】
以下、本発明の一実施形態を組合せ計量装置を例にとって説明する。
概略構成：
図１〜図４は本発明の一実施形態を示す。
まず、組合せ計量装置の一般的な機能および動作の一例について説明する。
図１に示すように、搬送コンベヤ１００は、被計量物である品物Ｍを組合せ計量装置１の分散フィーダ２の中央部に落下させる。なお、品物Ｍは数個ないし多数個が集められて後に袋詰めされて商品になる。
【００１０】
前記分散フィーダ２および各供給トラフ３ｉはそれぞれ加振装置の駆動により振動することで、分散フィーダ２上の品物Ｍを、各供給トラフ３ｉの下流に設けられた多数のプールホッパ４ｉに供給する。これら各プールホッパ４ｉには、ゲート５ｉが設けられ、前記各供給トラフ３ｉから供給されて受け取った品物Ｍを一時的に収容して貯留する。前記各プールホッパ４ｉの下流には計量ホッパ（品物保持部）６ｉが設けられている。これら各計量ホッパ６ｉには、前記プールホッパ４ｉから該計量ホッパ６ｉに投入された品物Ｍの重量を検出する重量検出器７ｉを備えた計量ヘッドおよびゲート８ｉが設けられている。ゲート８ｉの下方には大きな集合排出シュート９が設けられており、前記各重量検出器７ｉで検出された品物Ｍの重量を組み合わせることで、品物Ｍを一まとめにして目標値もしくは目標値に近い値とし、下流の製袋包装機（図示せず）等に品物Ｍを落下させる。
【００１１】
計量ホッパ：
図２の２点鎖線で示す前記計量ホッパ６ｉは、ブラケット１０を介してハンガー部材１１に取り付けられている。一方、重量検出器７ｉは、断面「コ」字状のブラケット５１を介して装置本体部５０に固定されている。前記重量検出器７ｉは装置本体部５０のカバー５２によって側面が覆われている。装置本体部５０の前記カバー５２には、貫通孔１５が形成されている。この貫通孔１５には重量検出器７ｉから突出する連結部材１２が鉛直方向Ｙに貫通している。該連結部材１２は、上下に分割された第１分割部１３および第２分割部１４を備えている。
【００１２】
前記ハンガー部材１１は２本の係合ピン１６を介して連結部材１２の第２分割部１４に取り付けられている。したがって、計量ホッパ６ｉは、ブラケット１０およびハンガー部材１１を介して連結部材１２の下端部側に取り付けられており、その荷重が重量検出器７ｉに負荷される。
【００１３】
ダイアフラム：
図４の前記貫通孔１５の内周縁部１７と連結部材１２の外周縁部１８との間には、この間をシールする環状のダイアフラム２０が設けられている。
図３（ａ），（ｂ）に示すように、前記ダイアフラム２０には、ダイアフラム本体２１の外周縁部に外周リング２２が一体に設けられている。ダイアフラム本体２１の内周縁部には被挟持部２３が形成されており、その被挟持部２３には軸線方向Ｙに向って突出する内周リング２４Ａが一体に設けられている。すなわち、このダイアフラム２０は、図３（ｃ）に示す従来のダイアフラム２００と比較して、内周縁部の被挟持面２３に内周リング２４Ａが一体に設けられている点において相違する。なお、図３（ｂ）に示すように、ダイアフラム２０の被挟持部２３には、ダイアフラム２０の保持力やシール性等を高めるための凹凸が形成されている。
【００１４】
前記２つのリング２２，２４Ａは、たとえば鉄系の金属で形成されている。なお、ダイアフラム２０の形成に際しては、予め形成した外周リング２２および内周リング２４Ａをダイアフラム本体２１との境界箇所に接着剤を介在してインサート成形することで容易に形成できる。
【００１５】
連結部材：
図４（ｂ）に示すように、前記連結部材１２は、２つの分割部１３，１４の間で前記ダイアフラム２０の内周縁部の被挟持部２３を挟持する。前記第２分割部１４の上端面には浅い凹部１４ａが設けられており、前記第１分割部１３には、前記凹部１４ａに嵌合する凸部１３ａが設けられている。前記凹部１４ａおよび凸部１３ａの周囲には、前記ダイアフラム２０の被挟持部２３を介して互いに対面する環状の挟持面（分割面）１４ｂ，１３ｂが形成されている。前記第１分割部１３の外周縁部には、ダイアフラム２０の内周リング２４Ａが嵌合する円環状の係合溝１３ｃが形成されている。
【００１６】
前記係合溝１３ｃにダイアフラム２０の内周リング２４Ａが嵌合することで、該内周リング２４Ａが連結部材１２に径方向に係合する。また、図４（ａ）に示すように、前記両分割部（連結部材）１３，１４がボルト２６によって互いに連結されることにより、ダイアフラム２０の被挟持部２３が挟持される。
一方、図４（ｂ）に示すように、ダイアフラム２０の外周リング２２は、外周縁部２５を介してカバー５２に押し込まれて、僅かに圧縮された状態で固定されている。
【００１７】
本組合せ計量装置では、ダイアフラム２０が、剛性の高い材質で形成された外周リング２２および内周リング２４Ａを設けているので、ダイアフラム本体２１が水洗時の水圧や圧縮空気の空気圧を受けても、ダイアフラム２０の外周縁部および内周縁部が、装置本体部５０のカバー５２および連結部材１２から外れるおそれがない。
【００１８】
特に、本実施形態では、内周リング２４Ａが係合溝１３ｃに係合しているので、ダイアフラム２０が連結部材１２から外れるのを確実に防止し得る。
なお、ダイアフラム２０は、外周リング２２と内周リング２４Ａとがダイアフラム本体２１に一体に設けられた一体物であるから、部品点数および組立工数も増えない。
【００１９】
さらに、ダイアフラム２０は、連結部材１２の両分割部１３，１４によって挟持されているので、ダイアフラム２０にボルト挿通用の孔を設ける必要がない。したがって、ダイアフラム２０の耐久性が向上すると共に、該ダイアフラム２０の加工コストが安価になる。
なお、係合溝１３ｃは、第１実施形態の第１分割部１３に代えて、第２分割部１４に形成してもよい。
【００２０】
図５は本実施形態の変形例を示す。
図５（ａ）のダイアフラム２０は、断面コ字状の内周リング２４Ｂを、ダイアフラム２０の被挟持部２３に被せる状態で取り付けられている。図５（ｂ）のダイアフラム２０は、内周リング２４Ｃが、被挟持部２３の内部に埋設されている。
これらの各ダイアフラム２０は、剛性の高い内周リング２４Ｂ，２４Ｃが第１分割部１３の凸部１３ａに外嵌しているので、ダイアフラム２０が連結部材１２から外れるのを防止し得る。
【００２１】
なお、本発明では、図５（ｃ）に示すように、ダイアフラム２０の内周リング２４Ｄが、第２分割部１４の外周縁部ではなく第２分割部１４の円形の凹部１４ａに係合していてもよい。
【００２２】
図６は本発明の理解に役立つ参考例を示す。
図６（ａ）に示すように、この参考例では、連結部材１２が、前述の実施形態のカバー５２（図２）ではなく、装置本体部５０に設けられた貫通孔５４を貫通している。連結部材１２の外周縁部と貫通孔５４の内周縁部１９との間はダイアフラム２００によって防水（シール）されている。ダイアフラム２００は、図３（ｃ）に示した内周リングが設けられていないものであり、従来と同様に、ダイアフラム２００の内周縁部の被挟持部が連結部材１２の両分割部１３，１４の間に挟持されている。
【００２３】
そして、この参考例では装置本体部５０における貫通孔５４の外側には保護カバー２７が取り付けられている。この保護カバー２７は、ダイアフラム２００を外側から覆っていることにより、外側から水や空気などの流体の噴射圧がダイアフラム２００に加わるのを抑制するものであり、該保護カバー２７の外周部２７ｂは、装置本体部５０におけるダイアフラム２００よりも外周側に固定されている。保護カバー２７は、径の小さい下方中央部に向け上方から傾斜した環状の傾斜周面を有する漏斗状であって、その中央部に貫通部２９を有している。
【００２４】
前記連結部材１２は保護カバー２７の貫通部２９よりも径の小さい小径部１４ｄと、径の大きい大径部１４ｅとを有する。保護カバー２７の内周部つまり貫通部２９は連結部材１２の前記小径部１４ｄに近接し、かつ、離間している。保護カバー２７の内周部の内径つまり貫通部２９の孔径は、前記大径部１４ｅの外径よりも小さい値に設定されている。
【００２５】
この参考例では、ダイアフラム２００が保護カバー２７によって水洗時の放水の水圧や圧縮空気の空気圧を受けないよう保護されている。しかも、保護カバー２７の内周部が連結部材１２の前記小径部１４ｄに近接しているので、この部分が迷路構造になるから、高い防水性が発揮される。なお、連結部材１２と保護カバー２７との間には隙間が設けられているので、計量精度に何ら影響を及ぼさない。
【００２６】
図６（ｂ）は（ａ）の変形例であって、（ａ）において連結部材１２が鉛直下方向に突出しているのに対し、連結部材１２が重量検出器７ｉから概ね水平方向に突設されている。これに対応して、保護カバー２７は横向きの配置で装置本体部５０に固定されている。但し、保護カバー２７は下端部が切欠かれて、この切欠き部と装置本体部５０との間には、水を排水するための排水孔３０が形成されている。
【００２７】
以上のとおり、図面を参照しながら好適な実施形態を説明したが、当業者であれば、本明細書を見て、自明な範囲で種々の変更および修正を容易に想定するであろう。
たとえば、前記外周リングおよび内周リングは、ダイアフラム本体よりも剛性（ヤング率：縦弾性係数）の大きい材料で形成すればよく、これらリングの具体的な材質としては、金属以外に硬質プラスチックで形成してもよい。なお、一般に、材料のヤング率（縦弾性係数）または剛性率（せん断弾性係数）が大きい場合は、当該材料の剛性も大きい。
また、前述の実施形態では、組合せ計量装置を例示して説明したが、計量装置としては、１つのホッパ装置を備えた計量装置についても適用できる。
また、本実施形態の取付方向を図６（ｂ）のように横方向にしてもよい。つまり、連結部材を本体の側面から出してダイアフラム２０を鉛直な面に沿って設けてもよい。
したがって、そのような変更および修正は、請求の範囲から定まる本発明の範囲内のものと解釈される。
【００２８】
【発明の効果】
以上説明したように、本発明によれば、ダイアフラム本体が水洗時に水圧や空気圧を受けても、ダイアフラムの内周縁部が剛性の高い内周リングを介し連結部材に連結されて径方向に外れないよう保持されるので防水性が向上する。
また、ダイアフラムにボルト挿通用の孔を設ける必要がないから、ダイアフラムの耐久性が向上すると共に、該ダイアフラムの製造コストが安価になる。
また、外周リングと内周リングとはダイアフラム本体に一体に設けられているので、部品点数も増えない。
【００２９】
さらに、連結部材に設けた円環状の溝に、ダイアフラム本体から突出させた内周リングを嵌合させれば、内周リングの連結部材に対する係合が確実になって、内周リングの径方向への変位を確実に阻止できるから防水性が一層向上する。
【００３０】
削除。
【００３１】
削除。
【図面の簡単な説明】
【図１】  本発明の一実施形態にかかる組合せ計量装置の機能を示す概念図である。
【図２】  計量ホッパ装置を示す一部破断した側面図である。
【図３】  （ａ）はダイアフラムの斜視図、（ｂ）は（ａ）のＡ−Ａ線断面図、（ｃ）は比較のために示した従来のダイアフラムの斜視図である。
【図４】  計量ホッパ装置の拡大側面図およびその一部の更なる拡大側面図である。
【図５】  変形例の要部の縦断面図である。
【図６】  本発明の理解に役立つ参考例にかかる組合せ計量装置の計量ホッパ装置を示す縦断面図、および変形例を示す縦断面図である。
【符号の説明】
６ｉ：計量ホッパ（品物保持部）
７ｉ：重量検出器
１２：連結部材
１３ｂ，１４ｂ：挟持面（分割面）
１３ｃ：係止溝
１４ｄ：小径部
１４ｅ：大径部
１５：貫通孔
１７：貫通孔の内周縁部
１８：連結部材の外周縁部
２０：ダイアフラム
２１：ダイアフラム本体
２２：外周リング
２４Ａ〜２４Ｃ：内周リング
２９：貫通部
５０：装置本体部
Ｙ：軸線方向
【図１】
0003836351.tif 000002
【図２】
0003836351.tif 000003
【図３】
0003836351.tif 000004
【図４】
0003836351.tif 000005
【図５】
0003836351.tif 000006
【図６】
0003836351.tif 000007